(57)【要約】  【課題】  異なる複数のヘッドが部品を吸着するときのウェハーの移動時間を極力短くし、実装時間を短縮すること、さらに、異なる複数のヘッドが異なる部品供給部から同時に部品をピックアップすることを可能にすること。  【解決手段】  ウェハー２６を載置する第２の載置台２８と、ウェハー２１を載置する第１の載置台２２とがＸ軸方向に独立して移動し、ウェハー２６及びウェハー２１上にそれぞれ位置した第１の実装ヘッド３６及び第２の実装ヘッド３８が同時或いは交互に各ウェハーから部品を吸着しピックアップする。  【選択図】  図１
2008091540.tif 000002
【特許請求の範囲】
【請求項１】
Ｙ軸方向に移動し部品供給部から部品を保持し被実装部材上に実装する複数の実装ヘッドと、Ｘ軸方向に設けられた複数の第１の搬送手段と、これらの第１の搬送手段により移動可能に設けられた複数の前記部品供給部と、前記被実装部材を搬送する第２の搬送手段とを備えたことを特徴とする部品実装装置。
【請求項２】
Ｙ軸方向に移動し部品供給部から部品を保持し被実装部材上に実装する複数の実装ヘッドと、Ｘ軸方向に設けられた複数の第１の搬送手段と、これらの第１の搬送手段により移動可能に設けられそれぞれが複数の前記部品供給部をＸ軸方向に並べて支持する複数の第１のテーブルと、被実装部材を搬送する第２の搬送手段とを備えたことを特徴とする部品実装装置。
【請求項３】
支持アームに摺動自在に保持され部品供給部から部品を保持し被実装部材上に実装する複数の実装ヘッドと、前記支持アームと交差する方向に設けられた複数の第１の搬送手段と、これらの第１の搬送手段により移動可能に設けられそれぞれが複数の前記部品供給部を前記支持アームと交差する方向に並べて支持する複数の第１のテーブルと、前記被実装部材を搬送する第２の搬送手段とを備えたことを特徴とする部品実装装置。
【請求項４】
支持アームに摺動自在に保持され部品供給部から部品を保持し被実装部材上に実装する複数の実装ヘッドと、前記支持アームと交差する方向に設けられた複数の第１の搬送手段と、これらの第１の搬送手段により移動可能に設けられそれぞれが複数の前記部品供給部を前記支持アームと交差する方向に並べて支持する複数の第１のテーブルと、前記支持アームと交差する方向に設けられ前記被実装部材を搬送する複数の第２の搬送手段とを備えたことを特徴とする部品実装装置。
【請求項５】
支持アームに摺動自在に保持され部品供給部から部品を保持し被実装部材上に実装する複数の実装ヘッドと、前記支持アームと交差する方向に設けられそれぞれが前記部品供給部を支持して搬送する複数の第１の搬送手段と、前記被実装部材を搬送する第２の搬送手段と、一方の実装ヘッドによる一方の第１の搬送手段の前記部品供給部からの部品保持と他方の実装ヘッドによる他方の第１の搬送手段の前記部品供給部からの部品保持とが交互に行われるように前記複数の第１の搬送手段及び前記実装ヘッドを制御する制御装置とを備えたことを特徴とする部品実装装置。
【請求項６】
支持アームに摺動自在に保持され部品供給部から部品を保持し被実装部材上に実装する複数の実装ヘッドと、前記支持アームと交差する方向に設けられた複数の第１の搬送手段と、これらの第１の搬送手段により移動可能に設けられそれぞれが複数の前記部品供給部を前記支持アームと交差する方向に並べて支持する複数の第１のテーブルと、前記被実装部材を搬送する第２の搬送手段と、一方の第１の搬送手段の第１のテーブルに支持された前記部品供給部からの部品供給と他方の第１の搬送手段の第１のテーブルに支持された前記部品供給部からの部品供給とが平行して行われるように前記複数の第１の搬送手段及び前記実装ヘッドを制御する制御装置とを備えたことを特徴とする部品実装装置。
【発明の詳細な説明】
【技術分野】
【０００１】
本発明は、実装ヘッドによりウェハーなどの部品供給部である保持され搬送されて来る部品を被実装部材上に実装する部品実装装置に関する。
【背景技術】
【０００２】
この種の部品実装装置は、例えば特許文献１などに開示されているが、ベアチップなどの部品を吸着保持するボンディングノズルを複数有する実装ヘッドを備え、Ｘ軸方向移動、Ｙ軸方向移動及びθ回転する載置台上の部品供給手段であるウェハーから実装ヘッドのボンディングノズルが部品をピックアップし、搬送されてきた被実装部材である実装基板或いはリードフレーム上に部品を実装する。
【特許文献１】特開２００４−３６３６０７号公報
【発明の開示】
【発明が解決しようとする課題】
【０００３】
しかしながら、このような従来の部品実装装置では、部品供給手段である機種が異なる複数のウェハーから部品を供給し、それぞれのウェハーから例えば２つの実装ヘッドがノズルによって直接チップを吸着し、基板上に実装するとき、例えば１枚のテーブルに複数のウェハーを載置支持させ、供給する部品種に応じてテーブルを移動させていたが、供給するウェハーが異なったときに２つの実装ヘッドがそれぞれウェハーから同時に部品をピックアップすることができなく、また、各実装ヘッドが吸着動作（保持動作）を行なうときのテーブル、即ちウェハーの移動時間が長くなり、この結果、実装時間が長くなるという問題があった。
【０００４】
そこで本発明は、異なる２つのヘッドが部品を吸着するときのウェハーの移動時間を極力短することができ、また、異なる２つのヘッドが同時に部品をピックアップすることもできる部品実装装置を提供することを目的とする。
【課題を解決するための手段】
【０００５】
このため第１の発明は、部品実装装置において、Ｙ軸方向に移動し部品供給部から部品を保持し被実装部材上に実装する複数の実装ヘッドと、Ｘ軸方向に設けられた複数の第１の搬送手段と、これらの第１の搬送手段により移動可能に設けられた複数の前記部品供給部と、前記被実装部材を搬送する第２の搬送手段とを備えたことを特徴とする。
【０００６】
また、第２の発明は、部品実装装置において、Ｙ軸方向に移動し部品供給部から部品を保持し被実装部材上に実装する複数の実装ヘッドと、Ｘ軸方向に設けられた複数の第１の搬送手段と、これらの第１の搬送手段により移動可能に設けられそれぞれが複数の前記部品供給部をＸ軸方向に並べて支持する複数の第１のテーブルと、被実装部材を搬送する第２の搬送手段とを備えたことを特徴とする。
【０００７】
第３の発明は、部品実装装置において、支持アームに摺動自在に保持され部品供給部から部品を保持し被実装部材上に実装する複数の実装ヘッドと、前記支持アームと交差する方向に設けられた複数の第１の搬送手段と、これらの第１の搬送手段により移動可能に設けられそれぞれが複数の前記部品供給部を前記支持アームと交差する方向に並べて支持する複数の第１のテーブルと、前記被実装部材を搬送する第２の搬送手段とを備えたことを特徴とする。
【０００８】
第４の発明は、部品実装装置において、支持アームに摺動自在に保持され部品供給部から部品を保持し被実装部材上に実装する複数の実装ヘッドと、前記支持アームと交差する方向に設けられた複数の第１の搬送手段と、これらの第１の搬送手段により移動可能に設けられそれぞれが複数の前記部品供給部を前記支持アームと交差する方向に並べて支持する複数の第１のテーブルと、前記支持アームと交差する方向に設けられ前記被実装部材を搬送する複数の第２の搬送手段とを備えたことを特徴とする。
【０００９】
第５の発明は、部品実装装置において、支持アームに摺動自在に保持され部品供給部から部品を保持し被実装部材上に実装する複数の実装ヘッドと、前記支持アームと交差する方向に設けられそれぞれが前記部品供給部を支持して搬送する複数の第１の搬送手段と、前記被実装部材を搬送する第２の搬送手段と、一方の実装ヘッドによる一方の第１の搬送手段の前記部品供給部からの部品保持と他方の実装ヘッドによる他方の第１の搬送手段の前記部品供給部からの部品保持とが交互に行われるように前記複数の第１の搬送手段及び前記実装ヘッドを制御する制御装置とを備えたことを特徴とする。
【００１０】
第６の発明は、部品実装装置において、支持アームに摺動自在に保持され部品供給部から部品を保持し被実装部材上に実装する複数の実装ヘッドと、前記支持アームと交差する方向に設けられた複数の第１の搬送手段と、これらの第１の搬送手段により移動可能に設けられそれぞれが複数の前記部品供給部を前記支持アームと交差する方向に並べて支持する複数の第１のテーブルと、前記被実装部材を搬送する第２の搬送手段と、一方の第１の搬送手段の第１のテーブルに支持された前記部品供給部からの部品供給と他方の第１の搬送手段の第１のテーブルに支持された前記部品供給部からの部品供給とが平行して行われるように前記複数の第１の搬送手段及び前記実装ヘッドを制御する制御装置とを備えたことを特徴とする。
【発明の効果】
【００１１】
本発明は、異なる複数のヘッドが部品を吸着するときのウェハーの移動時間を極力短することができるので、実装時間を短縮することができまた、異なる複数のヘッドが異なる部品供給部から同時に部品をピックアップすることもできる。
【発明を実施するための最良の形態】
【００１２】
以下、添付図面を参照して、本願発明に係る作業ヘッドである接着剤等の塗布ヘッドと、実装ヘッドとを備えた部品実装装置の実施形態について説明する。この部品実装装置は、各種電子部品をプリント基板或いはリードフレームなどに実装する。
【００１３】
図１は部品実装装置の平面図であり、部品実装装置本体１には、図示しない供給ストッカから供給され、各部品が実装される基板（被作業部材又は被実装部材）２、３（図２及び図５参照）を載置する第１、第２の作業用テーブル（以下、テーブルという。）４、５を塗布実装部６にＸ軸方向に搬送し、塗布作業及び実装作業が終了した実装基板２、３を塗布実装部６から搬送する搬送手段である第１及び第２の搬送機構７、８が設けられている。
【００１４】
第１及び第２の搬送機構７、８は、それぞれ第１及び第２のモータ１１、１２により回転駆動される第１及び第２のボールネジ１３、１４、第１及び第２のテーブル４、５それぞれの下面に設けられ第１及び第２のボールネジ１３、１４と螺合する図示しないナット、及び第１及び第２のボールネジ１３、１４に沿って設けられ、第１及び第２のテーブル４、５を案内する複数のガイド１６とを備えている。
【００１５】
また、第１のテーブル４、５には、治具（図示せず）を介して被実装部材である基板２が載置される。
【００１６】
また、２０、２１は多数の部品が集合した部品群（部品供給部）であるダイシングされた半導体ウェハー（以下、ウェハーといい、ウェハーから取出されるベアチップなどの部品を以下部品という。）であり、２２はウェハー２０、２１を■軸方向に間隔を存して載置支持し■軸方向に移動可能なウェハーテーブルであ
る第１の載置台である。また、２３は第１の載置台２１をＸ軸方向に移動させる移動機構であり、移動機構２３は、第３のモータ２４により回転駆動される第３のボールネジ２５、第１の載置台２１の下面に設けられ第３のボールネジ２５と螺合する図示しないナット、及び第３のボールネジ２５に沿って設けられ、第１の載置台２１を案内する複数のレール２９とを備えている。
【００１７】
また、２６、２７はウェハー２０、２１とは異なる機種のウェハーであり、２８は第１の載置台２２と並列に設けられ、ウェハー２６、２７を■軸方向に間隔
を存して載置支持し■軸方向に移動可能な第２の載置台（ウェハーテーブル）で
ある。また、３０は第２の載置台２８をＸ軸方向に移動させる移動機構であり、移動機構３０は、第４のモータ３１により回転駆動される第４のボールネジ３２、第２の載置台２８の下面に設けられ第４のボールネジ３２と螺合する図示しないナット、及び第４のボールネジ３２に沿って設けられ、第２の載置台２８を案内する複数のレール３３とを備えている。
【００１８】
さらに、３５は、部品実装装置本体１に支持され、Ｙ軸方向、即ち、第１及び第２のテーブル４、５の搬送方向及び第１及び第２の載置台２２、２８の移動方向と直角に交差する方向に設けられた支持アームである。そして、支持アーム３５の一方の側面には、作業ヘッドである第１の実装ヘッド３６が駆動源である第１のリニアモータ３７によりＹ軸方向にスライド自在に設けられ、また、支持アーム３５の他方の側面には、第２の実装ヘッド（作業ヘッド）３８が駆動源である第２のリニアモータ３９によりＹ軸方向にスライド自在に設けられている。
【００１９】
第１の実装ヘッド３６及び第２の実装ヘッド３８はそれぞれ複数のノズル４１、４２及びウェハー認識カメラ４３、４４を備えている。
【００２０】
また、５１は、部品実装装置本体１に支持された塗布ヘッド支持アームであり、この塗布ヘッド支持アーム５１は、塗布実装部６を備え、Ｙ軸方向、即ち、支持アーム３５と平行であり、第１及び第２のテーブル４、５の搬送方向及び第１及び第２の載置台２２、２８の移動方向と直角に交差（直交）する方向に設けられている。そして、塗布ヘッド支持アーム５１の一方の側面には、作業ヘッドである塗布ヘッド５３が第３のリニアモータ５４によりＹ軸方向にスライド自在に設けられている。
【００２１】
塗布ヘッド５３には、例えば粘性が高い接着剤を吐出する塗布ノズル５５と、基板認識カメラ５６とが設けられ、認識カメラ５６は第１及び第２のテーブル４、５に載置されている基板２、３に設けられている図示しないマークなどを撮像する。
【００２２】
６１は部品実装装置本体１の側部に設けられた電装ボックスであり、この電装ボックス６１には、上述した第１及び第２のモータ１１、１２、第３及び第４のモータ２４、３１、第１のリニアモータ３７、第２のリニアモータ３９、第３のリニアモータ５４などの運転を制御する制御装置１００が設けられ、この制御装置には制御をつかさどるＣＰＵ（セントラルプロセッシングユニット）、上述したモータなどの運転を制御するためのプログラムなどを格納したＲＯＭ（リードオンリーメモリ）及び搬送される基板の機種、ウェハーの機種などを格納するＲＡＭ（ランダムアクセスメモリ）などが搭載されている。
【００２３】
また、６２及び６３はそれぞれ部品実装装置本体１の上部であり、第１の実装ヘッド３６及び第２の実装ヘッド３８の移動経路の下方に設けられた部品認識カメラである。
【００２４】
さらに、６４は第１の載置台２２の上面に設けられ、載置台と共にＸ軸方向に移動可能なノズルストッカであり、Ｙ軸方向、即ち第１の実装ヘッド３６及び第２の実装ヘッド３８に設けられているノズル４１、４２の配設方向と同様な方向に複数のノズル収納部が配設されている。ノズルストッカ６４のノズル収納部は第１の実装ヘッド３６のノズル取付部の個数（例えば４個）より多く、例えば８個であり、そのうち４個のノズル収納部に交換可能な複数種類のノズルが収納されている。
【００２５】
また、第２の載置台２８の上面には、ノズルストッカ６４と同様に構成されたノズルストッカ（図示せず）が設けられ、第２の実装ヘッド３８のノズル取付部の個数（例えば４個）より多く、例えば８個であり、そのうち４個のノズル収納部に交換可能な複数種類のノズルが収納されている。
【００２６】
また、６６はノズルストッカ６４と同様に、第１の載置台２２の上面に設けられ、第１の載置台２２の移動に伴いＸ軸方向に移動可能な部品反転装置であり、この部品反転装置６６と同様に構成された部品反転装置が第２の載置台２８に設けられている。そして、第１及び第２の載置台２２、２８の各部品反転装置は、第１の実装ヘッド３６及び第２の実装ヘッド３８に設けられているノズル４１、４２が吸着した電子部品をノズルから保持し、１８０°反転させた状態で再び第１及び第２の実装ヘッド３６、３８のノズルに受け渡す。
【００２７】
以下、上述した部品実装装置の運転について説明する。
【００２８】
図２は部品実装装置が運転を開始し、第１のテーブル４がＸ軸方向に移動し左端部に位置し、部品実装装置の上流に設けられた例えばマガジンから第１のテーブル４上に基板（以下、第１の基板という。）２が載置され、塗布ヘッド５３が塗布ヘッド支持アーム（以下、第２の支持アームという）５１に沿い第１のテーブル４上に向かい移動している状態を示している。
【００２９】
この塗布ヘッド５３の移動工程において、第１及び第２の実装ヘッド３６、３８が例えばそれぞれ第２の載置台２８上の左側のウェハー２６及び第１の載置台２２上の右側のウェハー２１からチップ部品を吸着保持するために、支持アーム３５に沿って移動する。
【００３０】
そして、図３に示したように塗布ヘッド３１が第１の基板２上に到達すると、塗布ノズル３５から接着剤を吐出し、所定の位置に接着剤が塗布される。
【００３１】
この塗布工程において、最初に、制御装置からの信号に基づいて第１のモータ１１が運転し、第１のテーブル４がガイド１６に案内され塗布実装部６の下方であり、第２の支持アーム５１の一方の側（図２において左側）へ移動する。また、第３のリニアモータ５１の運転により塗布ヘッド５３が第１の基板２の上方に移動し、第１の基板２の位置決めマーク上方に位置した基板認識カメラ３６が位置決めマークを撮像する。そして、撮像結果に基づいて制御装置のＣＰＵが動作し、第１の基板２のパターン位置を認識する。その後、第１のモータ１１が運転し、第１のテーブル４が■軸方向、即ち、図２において右方向に移動すると共に
、第３のリニアモータ５４の運転により塗布ヘッド５３が第１の基板２の上方へ移動する。そして、予め設定されている塗布位置と認識された第１の基板２のパターン位置とに基づいて第１のテーブル４が■方向に次第に移動すると共に、塗
布ヘッド３１がＹ軸方向、即ち、図３において上下方向に移動して下降し、塗布ノズル３５が接着剤を吐出し、第１の基板２上に塗布する。以後、第１の基板２上の各塗布位置に塗布ヘッド３１及び塗布ノズル３５が位置するように、第１のモータ１１及び第３のリニアモータ５４が運転され、第１の基板２が■軸方向に
次第に移動すると共に、塗布ヘッド３１がＹ軸方向に移動し、塗布ノズル３５が昇降して接着剤を第１の基板２の上面に順次塗布する。
【００３２】
また、第１の基板２への塗布作業中に、制御装置からの信号に基づいて第４のモータ３１が運転し、第２の載置台２８は、ガイド３３に案内されて図１において次第に右方向に移動する。
【００３３】
また、制御装置は、ウェハー２８から部品をピックアップするために必要なノズルが実装ヘッド３３に取り付けられているか否かを判断し、取り付けられている場合には、第１の実装ヘッド３６は制御装置からの信号に基づく第１のリニアモータ３７の運転によりＹ軸方向、即ちウェハー２８の上方へ向かい移動する。
【００３４】
また、ウェハー２８から部品をピックアップするために必要なノズルが第１の実装ヘッド３６に取り付けられていない場合には、第１の実装ヘッド３６は第１のリニアモータ３７の運転によりＹ軸方向に移動し、また、第２の載置台２８はＸ方向に移動し、この結果、第１の実装ヘッド３６が第２の載置台２８上のノズルストッカの上方へ移動し、第１の実装ヘッド３６とノズルストッカとの位置合わせが確実に行われる。そして、第１の実装ヘッド３６に取り付けられているノズル４１がノズルストッカに収められ、ウェハー２６から部品をピックアップするために必要なノズルと交換され、その後、第１の実装ヘッド３６は第１のリニアモータ３７の運転によりＹ軸方向に移動すると共に、第２の載置台２８はＸ軸方向に移動し、第１の実装ヘッド３６はウェハー２６の上方へ移動する。
【００３５】
そして、第１の基板２への塗布作業中に、制御装置からの信号に基づいて第４のモータ３１が運転し、第２の載置台２８は、ガイド３３に案内されてＸ軸方向に移動する。そして、少なくともウェハー２６においてピックアップされる部品が支持アーム３５の他方の側に位置すると共に、第１のリニアモータ３７の運転により、上述したように第１の実装ヘッド３６がウェハー２６の上方へ移動する。そして、第１の実装ヘッド３６のＹ軸方向の移動、及びウェハー２６のＸ軸方向の移動により、まず、認識カメラ４３がウェハー２６のピックアップする部品の上方に位置し、ピックアップする部品を撮像し、撮像結果に基づいて、制御装置がその部品の位置を認識する。認識結果に基づいて、第４のモータ３１及び第１のリニアモータ３７が運転し、ノズル４１の下方にウェハー２６のピックアップされる部品が位置し、第１の実装ヘッド３６が昇降してノズル４１が電子部品を吸着保持する。
【００３６】
以後、同様に第４のモータ３１及び第１のリニアモータ３７が運転し、ウェハー２６がＸ軸方向に移動すると共に、第１の実装ヘッド３６がＹ軸方向に移動し、他の複数のノズル４１の下方に順次ピックアップされる部品が位置し、第１の実装ヘッド３６が昇降して各ノズル４１が電子部品を吸着保持しピックアップする。
【００３７】
また、制御装置からに信号に基づいて第２のリニアモータ３９の運転により第２の実装ヘッド３８がウェハー２１上へ移動し、Ｙ軸方向に移動すると共に、第１の載置台２２が第２の載置台２６から独立して第３のモータ２４の運転によりＸ軸方向に移動し、第１の実装ヘッド３６によるウェハー２６からの部品の吸着時と同様に、各ノズル４２と吸着保持する部品とが位置合わせされ、各ノズル４２がウェハー２１から順次部品を吸着保持する。
【００３８】
このように、第１の実装ヘッド３６が吸着保持する部品を供給するウェハー２６を載置する第２の載置台２８と、第２の実装ヘッド３８が吸着保持する部品を供給するウェハー２１を載置する第１の載置台２２とがＸ軸方向に独立して移動できるため、第１の実装ヘッド３６及び第２の実装ヘッド３８がそれぞれウェハー２６及びウェハー２１上に位置して同時に各ウェハーから部品を吸着しピックアップすることができ、この結果、第１及び第２の実装ヘッド３６、３８により部品を吸着するときの待ち時間などを短縮或いは無くすことができ、部品実装装置の実装時間を短縮することができる。
【００３９】
次に、第１の基板２上への接着剤の塗布が終了すると、図４に示したように、第１のモータ１１が運転して第１の作業用テーブル４がＸ軸方向に移動し、第１の基板２が支持アーム３５の下方へ移動する。また、第１のリニアモータ３７が運転し、例えば吸着保持する部品の数が第２の実装ヘッド３８より少なく、早く吸着作業が終了した第１の実装ヘッド３６が部品認識カメラ６２の上方を通過し、第１の基板２の上方へ移動する。そして、第１の実装ヘッド３６が部品認識カメラ６２の上方を通過するときに部品認識カメラ６２により撮像された各部品の撮像結果、即ち各ノズル４１に吸着された部品の位置及び姿勢に基づいて制御装置が動作し、第１のモータ１１及び第１のリニアモータ３７が運転し、第１の基板２がＸ軸方向に移動すると共に、第１の実装ヘッド３６がＹ軸方向に移動し、各ノズル４１が順次実装位置の上方に位置し、その度にノズル４１が昇降して第１の基板２の上に部品が実装される。
【００４０】
以後、第１の実装ヘッド３６がウェハー２６の上方と第１の基板２の上方との間を往復移動し、第１の基板２上に部品が実装される。この間、第４のモータ３１の運転により、第２の載置台２８はＸ軸方向にのみ移動する。
【００４１】
また、第２の実装ヘッド３８の各ノズル４２がウェハー２１から順次部品を吸着保持し、各ノズル４２の部品吸着動作が終了すると、第２の実装ヘッド３８は第２のリニアモータ３９の駆動によってＹ軸方向へ移動し、図５に示したように、第１の基板２上に到達する。その後、予め設定されているウェハー２１の部品の第１の基板上への実装位置に基づいて、制御装置が信号を出力し、この信号に基づいて第１のモータ１１及び第２のリニアモータ３９が運転する。この結果、第１の基板２はＸ軸方向に移動すると共に、第２の実装ヘッド３８がＹ軸方向に移動し、部品が第１の基板２上の所定の位置に実装される。
【００４２】
また、第１の実装ヘッド３６は第１の基板２上への部品の実装が終了すると、第１のリニアモータ３７の運転により、Ｙ軸方向にウェハー２６上へ移動する。そして、上述したように、第１の実装ヘッド３６がＹ軸方向に移動すると共に、第２の載置台２８がＸ軸方向に移動し、ウェハー２６から部品を順次ピックアップする。
【００４３】
上述したように、第１の実装ヘッド３６及び第２の実装ヘッド３８による部品の吸着及び実装が行われるが、第１の実装ヘッド３６による部品実装と第２の実装ヘッド３８による部品実装とが重ならないように、第１の実装ヘッド３６による部品の吸着動作と第２の実装ヘッド３８による部品の吸着動作とが交互に行われ、部品の実装動作も交互に行われるようにすることが好ましく、このように制御することによって、第１の実装ヘッド３６及び第２の実装ヘッド３８の部品実装動作時の待ち時間を極力無くすことができる。
【００４４】
また、図５に示したように、第２の作業用テーブル５上に上流の例えばマガジンから第２の基板３が載置される。このとき、第３のリニアモータ５４の運転により、塗布ヘッド５３が第２の支持アーム５１に沿い第２の作業用テーブル５上に向かい移動する。
【００４５】
図６に示したように、塗布ヘッド５３が第２の作業用テーブル５上に到達し、第２の基板上に位置すると、第１の基板２と同様に塗布ノズル３５から接着剤を吐出し、所定の位置に接着剤が塗布される。
【００４６】
また、部品を吸着保持した第１の実装ヘッド３６は第１のリニアモータ３７により第１の基板２上に移動し、所定の位置に部品を実装する。
【００４７】
その後、図示してはいないが、第１の実装ヘッド３６がウェハー２０から、第２の実装ヘッド３８がウェハー２７から部品を吸着保持し、ピックアップするときには、第１及び第２の載置基板２２、２６が独立してＸ軸方向に移動するので、各実装ヘッドは各載置板２２、２６の各ウェハーから同時にピックアップすることができ、この結果、実装時間を短縮することができ、また、第１の実装ヘッド３６がウェハー２０から、第２の実装ヘッド３８がウェハー２７から部品を吸着保持し、ピックアップするときには、ウェハー２０及びウェハー２７をＸ軸方向にはほとんど動かさずに吸着動作を行うことができるので、ウェハー２０及びウェハー２７の移動時間を短縮することもができ、この結果、実装時間を短縮することができる。
【００４８】
そして、第１の基板２への部品実装が終了すると、図７に示したように、第１のモータ１１の運転により、第１の作業テーブル４がＸ軸方向に移動し、第１の基板２は基板移載位置７０に到達する。基板排出位置７０に到達した第１の基板２は、図８に示したように図示しない移載装置により、基板搬送装置のテーブル７１に移載され下流の作業装置に搬送される。
【００４９】
また、第１の実装ヘッド３６が第２の基板３とウェハー２６との間を連続して移動し、第２の実装ヘッド３８が第２の基板３とウェハー２１との間を連続して移動し、各ウェハーから吸着した部品を第２の基板３に実装する。このとき、ウェハー２６を載置する第２の載置台２２とウェハー２１を載置する第１の載置台２２とは独立してＸ軸方向に移動するため、第１及び第２の実装ヘッド３６、３８がウェハー２６、２１から同時に連続して部品を吸着しピックアップすることができ、また、ウェハー２６、２１の移動時間を短縮することができ、この結果、部品実装装置の実装時間を短縮することができる。
【００５０】
その後、同様に第１及び第２のテーブル４、５には順次第１及び第２の基板２、３が載置、搬出され、各基板への接着剤の塗布作業及び部品の実装作業が同様に順次行われる。
【００５１】
なお、上述した実施の形態において、被実装部材として基板について説明したが、被実装部材は基板に限定されるものではなく、リードフレームなどの被実装部材でもよい。
【００５２】
また、第１及び第２の実装ヘッド３６、３８は支持アーム３５の左右側面に摺動自在に設けられているが、例えば２本の支持アームをＹ軸方向に間隔を存して並列に設け、第１及び第２の実装ヘッド３６、３８をそれぞれ各支持アームに摺動自在に設けてもよい。
【００５３】
さらに、第１及び第２のテーブル４、５に載置された第１及び第２の基板２、３を支持アーム３５の下方に位置させることにより、第１及び第２の実装ヘッド３６、３８によって、第１及び第２の基板２、３にウェハー２０及びウェハー２７から、或いはウェハー２６及び２１から交互に部品を実装することが可能になる。
【００５４】
以上のように本発明の実施態様について説明したが、上述の説明に基づいて当業者にとって種々の代替例、修正又は変形が可能であり、本発明はその趣旨を逸脱しない範囲で前述の種々の代替例、修正又は変形を包含するものである。
【図面の簡単な説明】
【００５５】
【図１】本願発明の実施形態の部品実装装置の平面図である。
【図２】第１の基板が移載され、塗布ヘッドが移動しているときの部品実装装置の平面図である。
【図３】第１の基板に塗布作業が行われると共に、第１の実装ヘッド及び第２の実装ヘッドが移動しているときの部品実装装置の平面図である。
【図４】第１の実装ヘッドにより第１の基板に部品実装作業が行われると共に、第２の実装ヘッドによる部品吸着動作が行われているときの部品実装装置の平面図である。
【図５】第２の基板が前工程から移載されると共に、第１及び第２の実装ヘッドによる第１の基板への部品実装作業が行われているときの部品実装装置の平面図である。
【図６】第２の基板への塗布作業が行われと共に、第１の基板への部品実装作業が行われているときの部品実装装置の平面図である。
【図７】第１の基板が基板移載位置に到達すると共に、第２の基板への各実装ヘッドによる部品実装作業が行われているときの部品実装装置の平面図である。
【図８】第１の基板の移載が行われると共に、第２の基板への部品実装作業が行われているときの部品実装装置の平面図である。
【符号の説明】
【００５６】
１        部品実装装置本体
２、３    第１及び第２の基板（被実装部材）
７、８    第１及び第２の搬送機構（第２の搬送手段）
２０、２１、２６、２７  ウェハー（部品供給部）
２３、３０  移動機構（第１の搬送手段）
３５      支持アーム
３６      第１の実装ヘッド
３８      第２の実装ヘッド
１００    制御装置
【図１】
2008091540.tif 000003
【図２】
2008091540.tif 000004
【図３】
2008091540.tif 000005
【図４】
2008091540.tif 000006
【図５】
2008091540.tif 000007
【図６】
2008091540.tif 000008
【図７】
2008091540.tif 000009
【図８】
2008091540.tif 000010